(57)【要約】【課題】パチンコ台島の周辺部の床構造に簡単な改変を加えるだけで、従来形式のパチンコホールでは感得しえなかった開放感及び快適さを遊技客に付与するパチンコホールの床構造体を提供すること。【解決手段】隣接するパチンコ台島間の床面部に該床面部より盛上った平坦状の通行路を形成し、前記通行路を通行する遊技者の目線位置が両側のパチンコ台島の上端部と略同じ高さ又は若干上回る高さに設定する。【選択図】図１
2007289573.tif 000002
【特許請求の範囲】
【請求項１】
床面に複数のパチンコ台を一列状に立設するか又はそれらのパチンコ台の背面同士を対向させて２列状に立設する一方、各パチンコ台の正面前方部にそれぞれ椅子を配置するとともに横方向に一列状に固定して構築したパチンコ台島を複数備えたパチンコホールの床構造体において、
隣接するパチンコ台島間の床面部に該床面部より盛上った平坦状の通行路を形成し、前記通行路を通行する遊技者の目線位置が両側のパチンコ台島の上端部と略同じ高さ又は若干上回る高さとしたことを特徴とするパチンコホールの床構造体。
【請求項２】
パチンコ台島の上端部が各パチンコ台の上端にそれぞれ装着されたパチンコ台番号表示ランプの取付け板により画定されることを特徴とする請求項１に記載のパチンコホールの床構造体。
【請求項３】
平坦状の通行路の側縁部に通行障害堤を設けたことを特徴とする請求項１又は請求項２に記載のパチンコホールの床構造体。
【請求項４】
更に、平坦状の通行路の側縁部に、該通行路の平坦な路面から各パチンコ台の正面前方に配置された椅子の脚部間の床面部に至り緩やかな傾斜案内路を形成したことを特徴とする請求項１〜請求項３のいずれかに記載のパチンコホールの床構造体。
【発明の詳細な説明】
【技術分野】
【０００１】
本発明は、床面に複数のパチンコ台島を立設して成るパチンコホールの床構造体に関する。
【背景技術】
【０００２】
一般に、パチンコホールは、床面に複数のパチンコ台を一列状に立設するか又はそれらのパチンコ台の背面同士を対向させて２列状に立設する一方、各パチンコ台の正面前方部にそれぞれ椅子を配置して床面に各椅子の脚部を横方向に一列状に固定して構築したパチンコ台島（以降、単に島という）を複数備えている（例えば、特許文献１を参照）。
【０００３】
従来、パチンコホールにおける各島の中央部に立設したパチンコ玉研磨・揚送機構部と、隣接するパチンコ台島のパチンコ玉研磨・揚送機構部の上方部間を連絡する上り及び下り用の傾斜した玉輸送樋と、各島における一列状に立設された複数のパチンコ台（パチンコ機）の背後の下方部及び上方部に設けた使用済パチンコ玉回収用の傾斜した玉輸送樋及び各パチンコ台にパチンコ玉を補給するための傾斜した玉輸送樋とを用いて構成した玉循環システムが知られている（例えば、特許文献２）。
【０００４】
前記構成の玉循環システムを有するパチンコホールの各島の上端部は、島の各パチンコ台の上端にパチンコ台番号を表示する表示ランプ取付け板を装着し、更に、該表示ランプ取付け板の上部に幕板を装着して玉補給用の玉輸送樋を隠蔽するとともに該玉輸送樋への遊技客の不公正なアクセスを防止するように構成される。
【０００５】
前記従来形式のパチンコホールの島の上端部の高さ、すなわち、床面からの幕板上端の高さは、一般的に、隣接する島間の床面部、特に、隣接する両島における長手方向に一列に並んだ椅子間の床面部（通行路面部）を往来する遊技客（成人）の背丈程又はそれ以上とされる。そのため、該通行路面部を往来する遊技客（通行者）は両側に起立する島の側面部（パチンコ台及び幕板）で挟まれることによる閉塞感がかなり強いものであった。また、該通行者は両側の島の上端部に装着された装飾灯により照明される程度であり、この照明の暗さと相俟って、前記従来形式のパチンコホールは、遊技者に対し雰囲気的に暗いイメージを抱かせるという問題があった。
【０００６】
前記閉塞感及び暗いイメージを払拭するには、パチンコホールの天井部の照明を増強することが考えられる。しかしながら、照明増強策は、照明設備経費の増大に留まらず、装備後にパチンコホール営業時における消費電力の増大による間接的経費が増大するため、俄かに実施し難い。
【０００７】
その他、各島の背丈（全高）を低減化する方策が考えられる。これには、例えば、島を構成する複数のパチンコ台の背後の上方部に装着されるパチンコ玉補給経路を、傾斜した樋に代えて水平ベルトコンベアを用いて形成することにより島の背丈（全高）を低減化することが考えられる（例えば、特許文献３）。しかしながら、前記パチンコ玉補給経路の高さ寸法を低減する方策だけでは、せいぜい、幕板の高さ寸法を縮小するか又は幕板を省略可能となるに過ぎず、前記閉塞感及び暗いイメージを有効に払拭する効果は期待し難い。
【特許文献１】実用新案登録第３０２７９６０号公報
【特許文献２】特開平９−３１３７１４号公報
【特許文献３】特開平６−３９１３６号公報
【発明の開示】
【発明が解決しようとする課題】
【０００８】
本発明は前記問題点に鑑みてなされたもので、パチンコホールの床面に立設される複数のパチンコ台島を構成するパチンコ台及び付帯設備自体に構造的な改変は加えず、従来形式のパチンコ台島の上端部に設けられる幕板を省略するとともに前記島の周辺部の床構造に簡単な改変を加えるだけで、従来形式のパチンコホールでは感得しえなかった開放感及び快適さを遊技客に付与するとともにパチンコホール内の雰囲気を快適なものとするパチンコホールの床構造体を提供することを目的とする。
【課題を解決するための手段】
【０００９】
本発明のパチンコホールの床構造体は、隣接するパチンコ台島間の床面部に該床面部より盛上った平坦状の通行路を形成し、前記通行路を通行する遊技者の目線位置が両側のパチンコ台島の上端部と略同じ高さ又は若干上回る高さとしたことを特徴とする。
【発明の効果】
【００１０】
本発明の請求項１に記載のパチンコホールの床構造体によれば、遊技客（成人）がパチンコホール内で移動するには、前記床構造体における床面部より盛上った平坦状の通行路上を歩行して行う。その際、大抵の遊技客（成人）の目線は、通行路の両側のパチンコ台島の上端部の台番号表示ランプ取付け板越しに位置することとなり、他の島の上端部、したがって、当該ホール全体の上方空間部を見通すことができ、開放感を感得することができる。また、通行路を歩行する際、当該ホールの側壁面等に設けられた電飾灯が目に入り、視覚的にも快適さを感得することができる。また、当該ホールの天井部に設けられた照明灯等からの照明光が前記通行路を歩行する遊技客の足元に行渡り、安全に歩行することができる。また、遊技者が獲得した大量のパチンコ玉、いわゆる、出玉を収容したケースは前記通行路面上に積載可能とされ、これにより、周囲の遊技者及び該通行路を通行する遊技客を活気付け、パチンコホール全体の雰囲気を盛況なものとすることができる。更にまた、パチンコ台の正面前方で前記通行路面より一段低い床面に設置された椅子に着座して遊技する遊技者は、背後の一段高い通行路面上を通行する他の遊技客の視線を気にすることなく集中して遊技を楽しむことができるという優れた作用効果を奏し得る。
【００１１】
本発明の請求項２に記載のパチンコホールの床構造体によれば、床面に立設したパチンコ台島の上端部は、各パチンコ台の上端にそれぞれ装着されたパチンコ台番号表示ランプの取付け板により画定されるようにしたから、前記通行路面上を歩行する遊技客は、従来形式のパチンコ台島に装着された幕板により遮られることも無く、島の上端越しに他の島の上端部及びそれより上方のホール天井空間部を見通すことができ、開放感及び快適さを存分に感得できるという優れた作用効果を奏し得る。
【００１２】
本発明の請求項３に記載のパチンコホールの床構造体によれば、床面部よりも盛上った平坦状の通行路の側縁部に設けた堤部により、該通行路面上を歩行する遊技客等が該堤部の外側の一段低い凹部へ踏込み又は転落を防止できるという優れた作用効果を奏し得る。
【００１３】
本発明の請求項４に記載のパチンコホールの床構造体によれば、通行路の平坦な路面から各パチンコ台の正面前方に配置された椅子の脚部間の床面部に至り緩やかな傾斜案内路により遊技客をパチンコ台の正面前方の椅子に無事に誘導することができるという優れた作用効果を奏し得る。
【発明を実施するための最良の形態】
【００１４】
以下、本発明の実施の形態を、添付図面を参照して説明する。
本発明のパチンコホールの床構造体は、図１及び図２に示すように、パチンコホールの床面１に、支持枠部材４を介して複数のパチンコ台８を横方向に一列状に立設（片面型）するか又は支持部材４を介して背中合わせした複数対のパチンコ台８を横方向に２列状に立設（両面型）する一方、各パチンコ台８の正面前方部にそれぞれ椅子１８を配置するとともに横方向に一列状に固定して形成したパチンコ台島（これを、単に島と略称する）１０を複数有し、隣接する島１０、１０間の床面部に、該床面部より盛上げて形成した平坦状の通行路２０が設けられる。通行路２０の路面２０ａは、パチンコホールの床面１より略１２０ｍｍ〜１５０ｍｍ盛上った平坦面とされる。図１には、右側にパチンコホールの側壁２に接した状態で構築された片面型の島１０と、左側に、背中合せした状態で複数対のパチンコ台８を配列して構築された両面型の島１０とが示される。
【００１５】
１つの島１０における各パチンコ台８の正面前方に、それぞれ、パチンコ台８の正面から、例えば、略６０ｃｍ程度の一定の間隔をもって遊技者用の椅子１８が配置され、各椅子１８の脚部１８ａは、パチンコホールの床面１に、図示しないアンカーボルト等の固定部材を介して固定される。
【００１６】
島１０下方部の側面に支持枠部材４を介して腰板５が取り付けられる。該腰板５の上端に側面前方に突出する天板６が装着される。天板６の上部に、前記支持枠体部材４を介して複数のパチンコ台８が当該島１０の長手方向に一列に並べて起立状に装着される。該複数のパチンコ台８の上端部に、表示ランプ取付け板１４を介して、各パチンコ台の台番号を表示する表示ランプ１２が取り付けられる。表示ランプ取付け板１４の上端に、各パチンコ台８に対応して当り表示ランプ１５が取り付けられる。当り表示ランプ１５は、対応するパチンコ台８が出玉の大当たり又は小当たり状態となったときに点灯表示する。
【００１７】
隣接する島間（例えば、図１に示される隣り合わせの２つの島１０と島１０との間）における床面１であって、該両島１０の対向側面の前方に配列された椅子１８の列の間の床面部に、前述した床面１より盛上った平坦状の通行路２０が形成される。島１０の一側面に沿って配列された複数の椅子１８の脚部１８ａは、通行路２０の側面部２０ｂと、島１０の腰板５とで包囲された凹部２５内に配置される。図１に示すように、通行路２０の路面２０ａ上を歩行する遊技客（成人）２２の目線は、椅子１８に着座した遊技者（図示しない）の頭よりかなり上方に位置することとなり、該パチンコ遊技者は通行者（他の遊技客）の視線を気にすることなく、パチンコ遊技に集中して楽しむことができる。
【００１８】
なお、前記通行路２０の側縁部には、図２に仮想線で示すように、該通行路２０の平坦な路面２０ａから各パチンコ台８の正面前方に配置された椅子１８の脚部１８ａ間の床面部に至り緩やかな傾斜案内路２４を形成することができる。この構成により、傾斜案内路２４を介して遊技客をパチンコ台８の正面前方の椅子１８に迅速かつ容易に誘導することができる。
【００１９】
島１０の一側面（片面型の場合）の背後又は両側面（両面型の場合）の間部であって長手方向における略中央部に、公知の（例えば、前記特許文献２参照）パチンコ玉研磨・揚送機構部２６が設置される。パチンコ玉研磨・揚送機構部２６の上方部は、当該島１０と隣接する島１０のパチンコ玉研磨・揚送機構部２６の上方部と２つの傾斜した玉輸送樋２８、２８を介して連絡される。パチンコ玉研磨・揚送機構部２６の下方部は、一列状に立設された複数のパチンコ台８の背後における下方部に設けた使用済パチンコ玉回収用の傾斜した玉輸送樋（図示しない）と連絡され、該パチンコ玉研磨・揚送機構部２６の中間部（パチンコ台８の上方部に対応する部分）は各パチンコ台８にパチンコ玉を補給するための傾斜した玉輸送樋３０（図１）と連絡される。前記傾斜した玉輸送樋（２８、３０）は、玉の自重を利用して上方部から下方部に移送する。なお、パチンコ玉研磨・揚送機構部２６による島１０内の各パチンコ台８に対するパチンコ玉の補給及び隣接する島１０間におけるパチンコ玉の補給は、図示しないコンピュータによりプログラム制御される。この制御システムについては、本発明の本質的技術的事項と関係が無く、その詳細な説明は省略する。
【００２０】
前記本発明のパチンコホールの床構造体には、パチンコ台８に限らず、これと同類の、例えば、遊技媒体としてメダルを用いたスロットマシン等の遊技機を配備した遊技場の床構造体が含まれる。
また、本発明のパチンコホールの床構造体は、前記した実施の形態に限定されるものではなく、本発明の要旨を逸脱しない範囲内において種々変更を加え得ることは勿論である。
【図面の簡単な説明】
【００２１】
【図１】本発明のパチンコホールの床構造体の概略外観斜視図である。
【図２】本発明のパチンコホールの床構造体に立設されたパチンコ台島の断面図である。
【符号の説明】
【００２２】
１  パチンコホールの床面
２  パチンコホールの側壁
３  パチンコホールの天井
８  パチンコ台
１０  （パチンコ台）島
１２  台番号表示ランプ
１４  表示ランプ取付け板
１８  椅子
１８ｂ  脚部
２０  通行路
２０ａ  平坦路面
２０ｂ  通行路側面
２１  堤
２２  遊技客
２４  傾斜案内路
２５  凹部
２６  パチンコ玉研磨・揚送機構部
２８  玉輸送樋
３０  玉輸送樋
【図１】
2007289573.tif 000003
【図２】
2007289573.tif 000004